【手続補正書】
【提出日】平成28年12月12日(2016.12.12)
【手続補正１】
【補正対象書類名】特許請求の範囲
【補正対象項目名】全文
【補正方法】変更
【補正の内容】
【特許請求の範囲】
【請求項１】
少なくとも１つのレンダリング装置とモバイル装置とを有するネットワークにおいてデータをレンダリングする方法であって、
前記モバイル装置によりレンダリング装置を検出するステップであって、前記モバイル装置により前記レンダリング装置の少なくとも画像を取得する、ステップと、
前記少なくとも１つのレンダリング装置の中で前記モバイル装置により検出されたレンダリング装置を、データをレンダリングするために識別するステップと、
レンダリングするためのレンダリング装置として識別されたレンダリング装置を表す情報項目を前記ネットワークに送信するステップと、
を有する方法。
【請求項２】
前記モバイル装置により前記レンダリング装置の画像を取得するステップが、前記モバイル装置の第１の所定のキーをユーザが押下することにより、又は、前記ユーザが前記モバイル装置に加えられた第１の所定の動きにより開始される、請求項１に記載の方法。
【請求項３】
前記レンダリング装置を識別するステップが、前記レンダリング装置の画像を決定されたレンダリング装置に関連付けるオブジェクト認識ステップを有する、請求項１又は２に記載の方法。
【請求項４】
各々のレンダリング装置が前記レンダリング装置を表す識別子を有し、前記レンダリング装置の前記画像が前記識別子を含み、前記レンダリング装置を識別するステップは、決定されたレンダリング装置を前記画像に関連付ける前記識別子を認識するステップを含む、請求項１又は２に記載の方法。
【請求項５】
レンダリングされる前記データを予備的に保存するステップを更に有し、前記予備的に保存するステップは、
前記モバイル装置によりレンダリング装置を検出するステップと、
前記モバイル装置により、検出されたレンダリング装置で表示されるデータを保存するステップと、
を有する請求項１〜４のうち何れか１項に記載の方法。    
【請求項６】
レンダリングされる前記データを予備的に保存する前記ステップにおける前記レンダリング装置を検出するステップが、前記モバイル装置により前記レンダリング装置の画像を取得するステップを含み、前記取得するステップは、前記モバイル装置の第２の所定のキーをユーザが押下することにより、又は、前記ユーザが前記モバイル装置に加えた第２の所定の動きにより開始される、請求項５に記載の方法。
【請求項７】
表示される前記データを予備的に保存するステップが、検出されたレンダリング装置における前記データのレンダリングを停止するステップを含む、請求項５又は６に記載の方法。
【請求項８】
前記モバイル装置がレンダリング装置を有し、表示される前記データを予備的に保存するステップが、前記モバイル装置の前記レンダリング装置における前記データのレンダリングを含む、請求項５〜７のうち何れか１項に記載の方法。
【請求項９】
前記検出するステップ、前記識別するステップ及び前記送信するステップが反復される、請求項１〜８のうち何れか１項に記載の方法。
【請求項１０】
前記モバイル装置により、検出されたレンダリング装置を表す情報項目を前記ネットワークの装置に送信するステップを更に有する請求項１〜９のうち何れか１項に記載の方法。
【請求項１１】
ネットワークにおいてデータをレンダリングするように形成されるモバイル装置であって、前記ネットワークは少なくとも１つのレンダリング装置と前記モバイル装置とを有し、前記モバイル装置は、
前記レンダリング装置の少なくとも画像を取得するように形成される、レンダリング装置を検出するモジュールと、
前記少なくとも１つのレンダリング装置の中で検出されたレンダリング装置を、前記データをレンダリングするために識別するモジュールと、
識別されたレンダリング装置を表す情報項目を前記ネットワークに送信するモジュールと、
を有するモバイル装置。
【請求項１２】
前記レンダリング装置の画像を取得することが、前記モバイル装置の第１の所定のキーをユーザが押下することにより、又は、前記ユーザが前記モバイル装置に加えた第１の所定の動きにより開始される、請求項１１に記載のモバイル装置。
【請求項１３】
レンダリングするための前記データをレンダリングするレンダリング装置を更に有する請求項１１又は１２に記載のモバイル装置。
【請求項１４】
レンダリングされる前記データを予備的に保存することが、前記モバイル装置の第２の所定のキーをユーザが押下することにより、又は、前記ユーザが前記モバイル装置に加えた第２の所定の動きにより、前記レンダリング装置の画像を取得することで開始される、請求項１１又は１２に記載のモバイル装置。
【請求項１５】
ネットワークにおいてデータをレンダリングするように形成されるネットワーク装置であって、前記ネットワークは少なくとも１つのレンダリング装置とモバイル装置とを有し、前記ネットワーク装置は、
前記モバイル装置により前記レンダリング装置の少なくとも画像を取得することにより、レンダリング装置を検出するモジュールと、
前記少なくとも１つのレンダリング装置の中で検出されたレンダリング装置を、前記データをレンダリングするために識別するモジュールと、
識別されたレンダリング装置を表す情報項目を前記ネットワークを介して送信するモジュールと、
を有するネットワーク装置。
【手続補正２】
【補正対象書類名】明細書
【補正対象項目名】００４５
【補正方法】変更
【補正の内容】
【００４５】
本発明は、非限定的な具体例として示されるに過ぎない上記のモバイル装置、ネットワークディスプレイ装置及び表示方法には限定されず、添付の特許請求の範囲内で当業者に認められる全ての変形例も包含する。
以下、本願により教示される手段を例示的に列挙する。
（付記１）
少なくとも１つのレンダリング装置とモバイル装置とを有するネットワークにおいてデータをレンダリングする方法であって、
前記レンダリング装置の位置が前記モバイル装置の位置にリンクされるように、前記モバイル装置によりレンダリング装置を検出するステップと、
前記モバイル装置により、検出されたレンダリング装置を、前記少なくとも１つのレンダリング装置の中で識別するステップであって、識別されるレンダリング装置は前記データがレンダリングされるレンダリング装置である、ステップと、
前記データがレンダリングされるレンダリング装置として識別されたレンダリング装置を表す情報項目を前記ネットワークに送信するステップと、
を有する方法。
（付記２）
前記検出するステップが、前記モバイル装置により前記レンダリング装置の少なくとも画像を取得するステップを含む、付記１に記載の方法。
（付記３）
前記モバイル装置により前記レンダリング装置の画像を取得するステップが、前記モバイル装置の第１の所定のキーをユーザにより押下することにより、又は、前記ユーザにより前記モバイル装置に加えられる第１の所定の動きにより開始される、付記２に記載の方法。
（付記４）
前記レンダリング装置を識別するステップが、前記レンダリング装置の画像を決定されたレンダリング装置に関連付けるオブジェクト認識ステップを有する、付記２又は３に記載の方法。
（付記５）
各々のレンダリング装置が前記レンダリング装置を表す識別子を有し、前記検出するステップが、前記モバイル装置によりレンダリング装置を表す前記識別子の画像を取得することを含み、前記レンダリング装置を識別するステップは、決定されたレンダリング装置を前記画像に関連付ける前記識別子を認識するステップを含む、付記２又は３に記載の方法。
（付記６）
レンダリングされる前記データを予備的に保存するステップを更に有し、前記予備的に保存するステップは、
前記レンダリング装置の位置が前記モバイル装置の位置にリンクされるように、前記モバイル装置によりレンダリング装置を検出するステップと、
前記モバイル装置により、検出されたレンダリング装置で表示されるデータを保存するステップと、
を有する付記１〜５のうち何れか１項に記載の方法。    
（付記７）
レンダリングされる前記データを予備的に保存する前記ステップにおける前記レンダリング装置を検出するステップが、前記モバイル装置により前記レンダリング装置の画像を取得するステップを含み、前記取得するステップは、前記モバイル装置の第２の所定のキーをユーザにより押下することにより、又は、前記ユーザにより前記モバイル装置に加えられる第２の所定の動きにより開始される、付記３に従属する付記６に記載の方法。
（付記８）
表示される前記データを予備的に保存するステップが、検出されたレンダリング装置における前記データのレンダリングを停止するステップを含む、付記６又は７に記載の方法。
（付記９）
前記モバイル装置がレンダリング装置を有し、表示される前記データを予備的に保存するステップが、前記モバイル装置の前記レンダリング装置における前記データのレンダリングを含む、付記６〜８のうち何れか１項に記載の方法。
（付記１０）
前記レンダリング装置の位置に対する前記モバイル装置の位置が変わった場合に、前記検出するステップ、前記識別するステップ及び前記送信するステップが反復される、付記１〜９のうち何れか１項に記載の方法。
（付記１１）
前記モバイル装置により、検出されたレンダリング装置を表す情報項目を前記ネットワークの装置に送信するステップを更に有する付記１〜１０のうち何れか１項に記載の方法。
（付記１２）
ネットワークにおいてデータをレンダリングするように形成されるモバイル装置であって、前記ネットワークは少なくとも１つのレンダリング装置と前記モバイル装置とを有し、前記モバイル装置は、
前記レンダリング装置の位置が前記モバイル装置の位置にリンクされるように、レンダリング装置を検出するモジュールと、
検出されたレンダリング装置を、前記少なくとも１つのレンダリング装置の中で識別するモジュールと、
識別されたレンダリング装置を表す情報項目を前記ネットワークに送信するモジュールと、
を有するモバイル装置。